【事件の表示】
　特許第３０９９４９６号「携帯用無線電話機」の請求項１ないし５に係る特許に対する特許異議の申立てについて、次のとおり決定する。
【結　論】
　訂正を認める。
　特許第３０９９４９６号の請求項１ないし５に係る特許を維持する。
【理　由】
１．手続の経緯
　本件特許第３０９９４９６号の発明についての出願は、平成４年２月１４日の出願であって、平成１２年８月１８日にその発明について特許の設定登録がなされ、その後、平成１３年４月１６日に特許異議申立人児玉喜博より特許異議の申立てがなされ、平成１４年２月８日付けで取消理由通知がなされて、その指定期間内である平成１４年４月１９日に訂正請求書及び特許異議意見書の提出があったものである。
　
２．訂正の適否についての判断
（１）訂正の内容
ア．訂正事項Ａ　　　　　　
　明細書における特許請求の範囲の請求項１及び２を以下のように訂正する。
「【請求項１】
　本体を、長辺部と短辺部と奥行辺部とを備え、前記短辺部の長さより前記長辺部の長さが長く、前記短辺部の長さより奥行辺部の長さが短い形状とし、
　前記本体の前記長辺部と前記短辺部で構成される一面を正面として、本体内部には基板を配置し、前記基板の正面側に、この正面の長手方向の一方の端部側から他方の端部側にかけて、スピーカー部、表示部、操作スイッチ、マイク部を順に配置するとともに、前記マイク部を長手方向の他方の端部に設け、
　前記操作スイッチの前記表示部側にフアンクションキー部、前記マイク部側にテンキー部を設け、
　前記基板の正面側にスピーカー部、表示部、操作スイッチ、マイク部を順に配置することによって、前記表示部が配置される前記本体の奥行辺部の長さを、前記テンキー部が配置された前記本体の奥行辺部の長さより長くするとともに、前記表示部が配置される面と、前記テンキー部が配置される面を傾斜面で連続させて、この傾斜面に前記フアンクションキー部を配置し、
　前記フアンクションキー部を配置した前記本体の短辺部の長さを、前記表示部並びにテンキー部を配置した前記本体の短辺部の長さより短くして左右の側面部に凹部を形成し、該凹部を保持してスベリ落ちるのを防止したことを特徴とする携帯用無線電話機。
【請求項２】
　本体を、長辺部と短辺部と奥行辺部とを備え、前記短辺部の長さより前記長辺部の長さが長く、前記短辺部の長さより奥行辺部の長さが短い形状とし、
　前記本体は、前記奥行辺部を２分する上ケースと下ケースとを備え、
　前記上ケースは、その内部に基板が配置され、前記基板の上ケース側の長手方向の一方の端部から他方の端部にかけて、スピーカー部、表示部、操作スイッチ、マイク部が順に配置されるとともに、前記マイク部を長手方向の他方の端部に設け、
　前記操作スイッチは、前記表示部側に配置されるフアンクションキー部と、前記マイク部側に配置されるテンキー部を備え、
　前記下ケースの前記テンキー部と対向する前記本体の他の一面には着脱可能に取り付けられるバッテリー部が設けられ、
　前記基板の上ケース側にスピーカー部、表示部、操作スイッチ、マイク部を順に配置することによって、前記テンキー部が配置される前記本体の奥行辺部の長さは、前記マイク部が配置される奥行辺部の長さより短く、更に、前記マイク部が配置される奥行辺部の長さは前記表示部が配置される本体の奥行辺部の長さより短く形成され、
　前記上ケースは、前記テンキー部が配置される面から前記表示部並びに前記マイク部が配置される面に向かって緩やかに隆起しながら傾斜する曲面で連続され、
　前記表示部と前記テンキー部との間の前記傾斜する曲面部には前記フアンクションキー部が配置され、
　前記フアンクションキー部が配置される前記本体の短辺部の長さは、前記表示部並びにテンキー部が配置される前記本体の短辺部の長さより短くして左右の側面部に凹部を形成し、該凹部を保持してスベリ落ちるのを防止したことを特徴とする携帯用無線電話機。」
　
イ．訂正事項Ｂ
　特許明細書の段落【０００６】の記載を以下のように訂正する。
「【０００６】
【課題を解決するための手段】
　前記課題を解決するために、本発明の携帯用無線電話機は、本体を、長辺部と短辺部と奥行辺部とを備え、前記短辺部の長さより前記長辺部の長さが長く、前記短辺部の長さより奥行辺部の長さが短い形状とし、前記本体の前記長辺部と前記短辺部で構成される一面を正面として、本体内部には基板を配置し、前記基板の正面側に、この正面の長手方向の一方の端部側から他方の端部側にかけて、スピーカー部、表示部、操作スイッチ、マイク部を順に配置するとともに、前記マイク部を長手方向の他方の端部に設け、前記操作スイッチの前記表示部側にフアンクションキー部、前記マイク部側にテンキー部を設け、前記基板の正面側に、スピーカー部、表示部、操作スイッチ、マイク部を順に配置することによって、前記表示部が配置される前記本体の奥行辺部の長さを、前記テンキー部が配置された前記本体の奥行辺部の長さより長くするとともに、前記表示部が配置される面と、前記テンキー部が配置される面を傾斜面で連続させて、この傾斜面に前記フアンクションキー部を配置し、前記フアンクションキー部を配置した前記本体の短辺部の長さを、前記表示部並びにテンキー部を配置した前記本体の短辺部の長さより短くして左右の側面部に凹部を形成し、該凹部を保持してスベリ落ちるのを防止する。」
　
ウ．訂正事項Ｃ
　特許明細書の段落【０００７】の記載を以下のように訂正する。
「【０００７】
　また、前記課題を解決するために、本発明の他の携帯用無線電話機は、本体を、長辺部と短辺部と奥行辺部とを備え、前記短辺部の長さより前記長辺部の長さが長く、前記短辺部の長さより奥行辺部の長さが短い形状とし、前記本体は、前記奥行辺部を２分する上ケースと下ケースとを備え、前記上ケースは、その内部に基板が配置され、前記基板の上ケース側の長手方向の一方の端部から他方の端部にかけて、スピーカー部、表示部、操作スイッチ、マイク部が順に配置されるとともに、前記マイク部を長手方向の他方の端部に設け、前記操作スイッチは、前記表示部側に配置されるフアンクションキー部と、前記マイク部側に配置されるテンキー部を備え、前記下ケースの前記テンキー部と対向する前記本体の他の一面には着脱可能に取り付けられるバッテリー部が設けられ、前記基板の上ケース側にスピーカー部、表示部、操作スイッチ、マイク部を順に配置することによって、前記テンキー部が配置される前記本体の奥行辺部の長さは、前記マイク部が配置される奥行辺部の長さより短く、更に、前記マイク部が配置される奥行辺部の長さは前記表示部が配置される本体の奥行辺部の長さより短く形成され、前記上ケースは、前記テンキー部が配置される面から前記表示部並びに前記マイク部が配置される面に向かって緩やかに隆起しながら傾斜する曲面で連続され、前記表示部と前記テンキー部との間の前記傾斜する曲面部には前記フアンクションキー部が配置され、前記フアンクションキー部が配置される前記本体の短辺部の長さは、前記表示部並びにテンキー部が配置される前記本体の短辺部の長さより短くして左右の側面部に凹部を形成し、該凹部を保持してスベリ落ちるのを防止する。」
　
（２）訂正の目的の適否、新規事項の有無、及び特許請求の範囲の拡張・変更の存否
ア．訂正事項Ａについて
（ア）請求項１の訂正のうち、
「本体内部には基板を配置し、前記基板の正面側に、」とする点は、本体内部に基板を配置し、スピーカー部、表示部、操作スイッチ、マイク部を基板の正面側に配置する構成を付加するものであって、特許請求の範囲の減縮を目的とするものであると認められる。
また、上記の訂正は、訂正前明細書の段落【００１２】の「本体２の内部には基板１０が配置され、この基板１０を基準として、本体２の情報に表示部９と発振部１１等を配置し、本体２の下部にマイク部を設けている。」という記載、及び、図７の記載に基づくものであって、上記の構成の付加は、願書に添付した明細書又は図面に記載した事項の範囲内においてした訂正であると認められる。そして、この訂正は、実質上特許請求の範囲を拡張し、又は変更するものではないと認められる。
　
（イ）請求項１の訂正のうち、
「前記基板の正面側にスピーカー部、表示部、操作スイッチ、マイク部を順に配置することによって、」とする点は、基板の正面側に順に配置されるスピーカー部、表示部、操作スイッチ、マイク部を配置することに対応して、表示部の本体の奥行辺部の長さを、テンキー部の本体の奥行辺部の長さより長くし、表示部が配置される面と、テンキー部が配置される面を傾斜面で連続させて、この傾斜面にフアンクションキー部を配置するということを限定するものであって、特許請求の範囲の減縮を目的とするものであると認められる。
また、上記の訂正は、訂正前明細書の段落【００１２】の「本体２の内部には基板１０が配置され、この基板１０を基準として、本体２の情報に表示部９と発振部１１等を配置し、本体２の下部にマイク部を設けている。このため、図３に示すように、携帯用無線電話機１はバッテリー部３を本体２に取り付けた状態で、その基本的な携帯を中央の厚みを上下の厚みよりも薄くして薄型で縦長の形態とする」という記載に基づくものであって、上記の訂正は、願書に添付した明細書又は図面に記載した事項の範囲内においてした訂正であると認められる。そして、この訂正は、実質上特許請求の範囲を拡張し、又は変更するものではないと認められる。
　
（ウ）請求項１の訂正のうち、
「左右の側面部に凹部を形成し、該凹部を保持してスベリ落ちるのを防止した」とする点は、フアンクションキー部が配置される本体の短辺部の長さが表示部並びにテンキー部が配置される記本体の短辺部の長さより短くする場合に、左右の側面部に凹部が形成されること、及び、その凹部が保持してスベリ落ちるのを防止するという機能を有するものであることを限定するものであって、特許請求の範囲の減縮を目的とするものであると認められる。
　また、上記の訂正は、訂正前明細書の段落【００１６】の「操作スイッチ部１３の上下に位置するフアンクションキー１３ａと送受信キー１３ｃとを、内側に傾いた上方の傾斜部２ａ、下方も傾斜部２ｃとに配置し、」という記載、段落【００２３】の「凹部１５は、表示部９の下方に位置する上方の傾斜部の両側面部に、保持性を良好にするために形成されたものであり、」という記載、及び、段落【００２１】の「この際、小さい円弧Ｒ１にて本体２を引っかけるようにして本体が下方にスベリ落ちるのを防ぎ、」という記載に基づくものであり、願書に添付した明細書又は図面に記載した事項の範囲内においてした訂正であると認められる。そして、この訂正は、実質上特許請求の範囲を拡張し、又は変更するものではないと認められる。
　
（エ）請求項２の訂正のうち、
「本体内部には基板を配置し、前記基板の上ケース側の」とする点は、本体内部に基板を配置し、スピーカー部、表示部、操作スイッチ、マイク部を基板の上ケース側に配置する構成を付加するものであって、特許請求の範囲の減縮を目的とするものであると認められる。
　また、上記の訂正は、訂正前明細書の段落【００１２】の「本体２の前面を構成する上ケース５と、本体２の後部を形成する下ケース６と、」という記載、及び、「本体２の内部には基板１０が配置され、この基板１０を基準として、本体２の上方に表示部９と発振部１１等を配置し、本体２の下部にマイク部を設けている。」という記載、及び、図７の記載に基づくものであって、上記の構成の付加は、願書に添付した明細書又は図面に記載した事項の範囲内においてした訂正であると認められる。そして、この訂正は、実質上特許請求の範囲を拡張し、又は変更するものではないと認められる。
　
（オ）請求項２の訂正のうち、
「前記基板の上ケース側にスピーカー部、表示部、操作スイッチ、マイク部を順に配置することによって、」とする点は、基板の上ケース側にスピーカー部、表示部、操作スイッチ、マイク部を順に配置すること対応して、表示部の本体の奥行辺部の長さを、テンキー部の本体の奥行辺部の長さより長くし、表示部が配置される面と、テンキー部が配置される面を傾斜面で連続させて、この傾斜面にフアンクションキー部を配置するということを限定するものであって、特許請求の範囲の減縮を目的とするものであると認められる。
　また、上記の訂正は、訂正前明細書の段落【００１２】の「本体２の前面を構成する上ケース５と、本体２の後部を形成する下ケース６と、」という記載、及び、「本体２の内部には基板１０が配置され、この基板１０を基準として、本体２の情報に表示部９と発振部１１等を配置し、本体２の下部にマイク部を設けている。このため、図３に示すように、携帯用無線電話機１はバッテリー部３を本体２に取り付けた状態で、その基本的な携帯を中央の厚みを上下の厚みよりも薄くして薄型で縦長の形態とする」という記載に基づくものであって、上記の訂正は、願書に添付した明細書又は図面に記載した事項の範囲内においてした訂正であると認められる。そして、この訂正は、実質上特許請求の範囲を拡張し、又は変更するものではないと認められる。
　
（カ）請求項２の訂正のうち、
「左右の側面部に凹部を形成し、該凹部を保持してスベリ落ちるのを防止した」とする点は、フアンクションキー部が配置される本体の短辺部の長さが表示部並びにテンキー部が配置される記本体の短辺部の長さより短くする場合に、左右の側面部に凹部が形成されること、及び、その凹部が保持してスベリ落ちるのを防止するという機能を有するものであることを限定するものであって、特許請求の範囲の減縮を目的とするものであると認められる。
　また、上記の訂正は、訂正前明細書の段落【００１６】の「操作スイッチ部１３の上下に位置するフアンクションキー１３ａと送受信キー１３ｃとを、内側に傾いた上方の傾斜部２ａ、下方も傾斜部２ｃとに配置し、」という記載、段落【００２３】の「凹部１５は、表示部９の下方に位置する上方の傾斜部の両側面部に、保持性を良好にするために形成されたものであり、」という記載、及び、段落【００２１】の「この際、小さい円弧Ｒ１にて本体２を引っかけるようにして本体が下方にスベリ落ちるのを防ぎ、」という記載に基づくものであり、願書に添付した明細書又は図面に記載した事項の範囲内においてした訂正であると認められる。そして、この訂正は、実質上特許請求の範囲を拡張し、又は変更するものではないと認められる。
　
　イ．訂正事項Ｂについて
　段落【０００６】の訂正は、上述した特許請求の範囲の訂正に整合させて、【課題を解決するための手段】の欄を訂正したものであり、明細書の記載を訂正するものであり、明りょうでない記載の釈明に該当すると認められる。
　また、この訂正は、上述したように、願書に添付した明細書又は図面に記載した事項の範囲内においてした訂正であると認められ、実質上特許請求の範囲を拡張し、又は変更するものではないと認められる。
　
ウ．訂正事項Ｃについて
　段落【０００７】の訂正は、上述した特許請求の範囲の訂正に整合させて、【課題を解決するための手段】の欄を訂正したものであり、明細書の記載を訂正するものであり、明りょうでない記載の釈明に該当すると認められる。
　また、この訂正は、上述したように、願書に添付した明細書又は図面に記載した事項の範囲内においてした訂正であると認められ、実質上特許請求の範囲を拡張し、又は変更するものではないと認められる。
　
（３）むすび
　したがって、上記の訂正事項Ａ〜Ｃは、特許法第１２０条の４第２項及び同条第３項で準用する第１２６条第２項及び第３項の規定に適合するので、当該訂正を認める。
　
３．特許異議申立てについて
（１）申立の理由の概要
　申立人児玉喜博は、証拠として、甲第１号証（意匠登録第７５５２３９−１号公報）、甲第２号証（実願平２−８７４４号（実開平３−１０１０５６号公報）の内容を撮影したマイクロフフィルム）、甲第３号証（実願平１−１３４１２７号（実開平３−７３０５３号公報）の内容を撮影したマイクロフィルム）、甲第４号証（実願平１−１３１１７５号（実開平３−７０４４５号公報）の内容を撮影したマイクロフィルム）を提出し、請求項１乃至５に係る発明は、甲第１号証と甲第２〜４号証に記載された発明に基づいて、その発明の属する技術分野における通常の知識を有するものが容易に発明をすることができたものであるから、特許法第２９条の規定により特許を受けることができないものであり、特許法第１１３条第２号の規定により特許を取り消すべき旨主張している。
　
（２）本件発明
　特許第３０９９４９６号の請求項１乃至５に係る発明は、平成１４年４月１９日付けの訂正請求書の特許請求の範囲の請求項１乃至５に記載された事項により特定される次のとおりのものである。
「【請求項１】
　本体を、長辺部と短辺部と奥行辺部とを備え、前記短辺部の長さより前記長辺部の長さが長く、前記短辺部の長さより奥行辺部の長さが短い形状とし、
　前記本体の前記長辺部と前記短辺部で構成される一面を正面として、本体内部には基板を配置し、前記基板の正面側に、この正面の長手方向の一方の端部側から他方の端部側にかけて、スピーカー部、表示部、操作スイッチ、マイク部を順に配置するとともに、前記マイク部を長手方向の他方の端部に設け、
　前記操作スイッチの前記表示部側にフアンクションキー部、前記マイク部側にテンキー部を設け、
　前記基板の正面側にスピーカー部、表示部、操作スイッチ、マイク部を順に配置することによって、前記表示部が配置される前記本体の奥行辺部の長さを、前記テンキー部が配置された前記本体の奥行辺部の長さより長くするとともに、前記表示部が配置される面と、前記テンキー部が配置される面を傾斜面で連続させて、この傾斜面に前記フアンクションキー部を配置し、
　前記フアンクションキー部を配置した前記本体の短辺部の長さを、前記表示部並びにテンキー部を配置した前記本体の短辺部の長さより短くして左右の側面部に凹部を形成し、該凹部を保持してスベリ落ちるのを防止したことを特徴とする携帯用無線電話機。
【請求項２】
　本体を、長辺部と短辺部と奥行辺部とを備え、前記短辺部の長さより前記長辺部の長さが長く、前記短辺部の長さより奥行辺部の長さが短い形状とし、
　前記本体は、前記奥行辺部を２分する上ケースと下ケースとを備え、
　前記上ケースは、その内部に基板が配置され、前記基板の上ケース側の長手方向の一方の端部から他方の端部にかけて、スピーカー部、表示部、操作スイッチ、マイク部が順に配置されるとともに、前記マイク部を長手方向の他方の端部に設け、
　前記操作スイッチは、前記表示部側に配置されるフアンクションキー部と、前記マイク部側に配置されるテンキー部を備え、
　前記下ケースの前記テンキー部と対向する前記本体の他の一面には着脱可能に取り付けられるバッテリー部が設けられ、
　前記基板の上ケース側にスピーカー部、表示部、操作スイッチ、マイク部を順に配置することによって、前記テンキー部が配置される前記本体の奥行辺部の長さは、前記マイク部が配置される奥行辺部の長さより短く、更に、前記マイク部が配置される奥行辺部の長さは前記表示部が配置される本体の奥行辺部の長さより短く形成され、
　前記上ケースは、前記テンキー部が配置される面から前記表示部並びに前記マイク部が配置される面に向かって緩やかに隆起しながら傾斜する曲面で連続され、
　前記表示部と前記テンキー部との間の前記傾斜する曲面部には前記フアンクションキー部が配置され、
　前記フアンクションキー部が配置される前記本体の短辺部の長さは、前記表示部並びにテンキー部が配置される前記本体の短辺部の長さより短くして左右の側面部に凹部を形成し、該凹部を保持してスベリ落ちるのを防止したことを特徴とする携帯用無線電話機。
【請求項３】
　前記請求項１または２記載の携帯用無線電話機において、
　前記フアンクションキー部が配置される前記本体の両側の面は、少なくとも表示部側を形成する円弧Ｒ１と、テンキー部側を形成する円弧Ｒ２から構成され、Ｒ１＜Ｒ２であることを特徴とする携帯用無線電話機。
【請求項４】
　前記請求項１から３記載の何れかの携帯用無線電話機において、
前記フアンクションキーは、機能切替えキーを備えていることを特徴とする携帯用無線電話機。
【請求項５】
　前記請求項１から３記載の何れかの携帯用無線電話機において、
　前記スピーカー部が配置される長手方向の一方の側面に、長手方向に突出するアンテナ部と、保護キャップで覆われたイヤホン接続部を設け、マイク部が配置される長手方向の他の側面に保護キャップで覆われた外部装置との接続部を設けたことを特徴とする携帯用無線電話機。」
　
（３）引用刊行物
刊行物１：意匠登録第７５５２３９−１号公報（甲第１号証）
刊行物２：実願平２−８７４４号（実開平３−１０１０５６号公報）の内容を撮影したマイクロフフィルム（甲第２号証）
刊行物３：実願平１−１３４１２７号（実開平３−７３０５３号公報）の内容を撮影したマイクロフィルム（甲第３号証）
刊行物４：実願平１−１３１１７５号（実開平３−７０４４５号公報）の内容を撮影したマイクロフィルム（甲第４号証）
　
（４）刊行物に記載された発明
　各刊行物には、以下の技術的事項が記載されている。
ア．刊行物１（意匠登録第７５５２３９−１号公報）
　意匠に係る物品として携帯用無線電話機の左側面図、正面図、斜視図、背面図、右側面図、平面図、底面図、及び、通電状態を示す正面図、アンテナを伸ばした状態を示す縮小斜視図が記載されている。
　
（ア）正面図、斜視図、背面図を参照すると、短辺部の長さより長辺部の長さが長く、平面図及び底面図を参照すると、短辺部の長さより奥行辺部の長さが短い形状が記載されていると認められる。
　
（イ）正面図及び斜視図を参照すると、正面の長手方向の一方の端部側から他方の端部側にかけて、四角い表示部、複数の押しボタン状の操作スイッチが配置される構成が記載されていると認められる。
　
（ウ）正面図及び斜視図を参照すると、複数の押しボタン状の操作スイッチとしては、表示部側から６個の長円形状の押しボタン部、ＳＥＮＤ，ＣＬＲ，ＥＮＤの３つのキー部、数字等が付された１２個の円形状の押しボタン部が配置される構成が記載されていると認められる。
　
（エ）正面図及び背面図を参照すると、本体の正面側に表示部と操作スイッチを配置し、背面側にマイク部とスピーカー部を配置することが記載され、左側面図及び右側面図を参照すると、携帯用無線電話機の背面部は、表示部の裏側で、前方に突出したスピーカー部が形成され、この張出した部分から緩やかな凹状の曲線を描いて他の端部に連続する形状が記載されていると認められる。
　
（オ）左側面図、右側面図、及び斜視図を参照すると、左側面図の右サイド、及び、右側面図の左サイド、即ち、携帯用無線電話機の正面側は、表示部などを備えた穏やかな曲面と、数字等が付された円形状の押しボタン部を備えた緩やかな曲面からなる２つの大きな円弧で形成され、この２つの曲面が中央部分で連続される形状が記載されていると認められる。
　
（カ）左側面図、右側面図、及び斜視図を参照すると、穏やかな曲面が中央で連続する形状の傾斜面に、長円形状の押しボタン部、３つのキー部、円形状の押しボタン部が配置される構成が記載されていると認められる。
　
（キ）正面図、背面図及び斜視図を参照すると、本体部の短辺部は、上部から下部へ、最初は細く絞られていって、中央よりやや上方の３つのキー部及び円形状の押しボタン部の上部の当たりが最も細くなり、その後、なだらかに広がっていく凹部が形成される形状が記載されていると認められる。
　
（ク）左側面図、右側面図、平面図、及び底面図を参照すると、携帯用無線電話機に対応する側面、上面及び底面には、奥行辺部を２分するように中央に溝を示唆する分離線が形成されており、上ケースと下ケースを備える構成が記載されていると認められる。
　
　上記（ア）〜（ク）の事項を参照すると、刊行物１には、
　短辺部の長さより長辺部の長さが長く、短辺部の長さより奥行辺部の長さが短い形状の携帯用無線電話機であって、
　正面の長手方向の一方の端部側から他方の端部側にかけて、表示、操作スイッチが配置され、操作スイッチとしては、６個の長円形状の押しボタン部、ＳＥＮＤ，ＣＬＲ，ＥＮＤの３つのキー部、１２個の円形状の押しボタン部の順で配置され、
　表示部が配置される本体の奥行辺部の長さが円形状の押しボタン部が配置された本体の奥行辺部の長さより長く、
　表面は、表示部などを備えた穏やかな曲面と、数字等が付された円形状の押しボタン部を備えた緩やかな曲面からなる２つの大きな円弧で形成され、この２つの曲面が中央部分で連続される形状に形成され、
　裏面は、前方に突出したスピーカー部の部分から緩やかな凹状の曲線を描いて他の端部に連続する形状に形成され、
　表面の穏やかな曲面が中央で連続する形状の傾斜面に、長円形状の押しボタン部、３つのキー部、円形状の押しボタン部が配置され、
　裏面の上部の突出した部分にスピーカー部、下方にマイク部が配置され、
　本体部の短辺部は、上部から下部へ、最初は細く絞られていって、中央よりやや上方の３つのキー部及び円形状の押しボタン部の上部の当たりが最も細くなり、その後、なだらかに広がっていく凹部が形成される形状に形成され、
　奥行辺部を２分するように中央に溝を示唆する分離線が形成されており、上ケースと下ケースを備える携帯用無線電話機の発明（以下、「刊行物１記載の発明」という。）が記載されていると認められる。
　
イ．刊行物２（実願平２−８７４４号（実開平３−１０１０５６号公報）の内容を撮影したマイクロフフィルム）
（ア）「第１図は本考案の一実施例の斜視図、第２図はその一部破断側面図である。…１は携帯無線機…である。」（第５頁第２行〜第５行から抽出）
　
（イ）第１図及び第２を参照すると、丸い押しボタンからなるテンキー部が配置される面から、表示部並びにマイク部が配置される面に向かって、緩やかに隆起しながら傾斜される曲面で連続される構成が記載されていると認められる。
　
　上記（ア）及び（イ）の事項を参照すると、刊行物２には、
　テンキー部が配置される面から、表示部並びにマイク部が配置される面に向かって、緩やかに隆起しながら傾斜される曲面で連続される形状の携帯無線機の発明（以下、「刊行物２記載の発明」という。）が記載されていると認められる。
　
ウ．刊行物３（実願平１−１３４１２７号（実開平３−７３０５３号公報）の内容を撮影したマイクロフィルム）
　
（ア）「従来の携帯電話機として、第２図に示すような構成が知られている。…２６はスピーカ（受話部）、２７はマイクロホン（送話部）、２８は操作部、２９は表示部である。」（第１頁第１９行〜第２頁第１２行から抽出）
（イ）第２図を参照すると、ホイップアンテナ２２、スピーカ（受話部）２６、表示部２９、操作部２８、マイクロホン（送話部）２７が、この順序で配置されている。
　
　上記（ア）及び（イ）の事項を参照すると、上記刊行物３には、
　アンテナ、スピーカ、表示部、操作部、マイクが、この順序で配置された携帯電話機の発明（以下、「刊行物３記載の発明」という。）が記載されていると認められる。
　
エ．刊行物４（実願平１−１３１１７５号（実開平３−７０４４５号公報）の内容を撮影したマイクロフィルム）
（ア）「第２図（イ）及び第２図（ロ）はポケット電話機の外観斜視図であり、２１は本体ケースである。２２は受話用スピーカ、２３は液晶表示部、２４は操作用キーであり、それぞれ本体ケース２１上に設けられている。２６は送話部であり、本体ケース２１に対して開閉自在に取付けられている。また、送話部２６は送話用マイク２７を内蔵している。２８は本体ケース２１と送話部２８とを互いに回動可能とするために設けられた円筒状の回動機構である。第２図（ロ）は送話部２８を本体ケース２１に対して開いた状態を示す。」（第２頁第３行〜第１３行から抽出）
　
　上記（ア）の事項を参照すると、刊行物４には、本体ケース２１に、受話用スピーカ２２、液晶表示部２３、操作用キー２４を設け、送話用マイク２７を内蔵した送話部２６を本体ケースに対して開閉自在に取り付けたポケット電話機が従来例として記載されていると認められる。
　
３．請求項１乃至５に係る発明と各刊行物に記載の発明との対比・判断
（１）請求項１に係る発明について
　そこで、請求項１に係る発明と刊行物１記載の発明とを対比すると、
　刊行物１記載の発明の「６個の長円形状の押しボタン部」、「１２個の円形状の押しボタン部」は、それぞれ、請求項１に係る発明の「フアンクションキー部」、「テンキー部」に相当していると認められる。
　刊行物１記載の「ＳＥＮＤ，ＣＬＲ，ＥＮＤの３つのキー部」は、特許明細書の段落【００１６】で説明されているフアンクションキーに相当するＣＬＲキーと、送受信キーに相当するＳＥＮＤ，ＥＮＤキーが混在した部分であるが、特許明細書の段落【００１６】の定義におけるフアンクションキー部は、送受信キーを除いた部分であって、３つのキー部は、フアンクションキー部ではなく、むしろ送受信キー部に相当するものと認められる。
　また、刊行物１記載の発明の本体の奥行辺部の長さの違いは、主として、裏面部の厚み方向の変化によるものであって、正面側での厚みの変化はわずかであって、基板の正面側の表示部、操作スイッチの配置により、表示部が配置される本体の奥行辺部の長さを、テンキー部が配置された本体の奥行辺部の長さより長くする点は、刊行物１の記載からは読み取ることが困難なものである。
　また、刊行物１記載の発明の本体部の短辺部は、上部から下部へのなだらかな凹部の形状は、３つのキー部や円形状の押しボタン部の上部をも含めた部分の形状であって、請求項１に係る発明の、送受信キーを除いたフアンクションキーが配置される傾斜部に凹部を形成するものとは形状の相違するものである。
　したがって、両者は、以下の点で一致し、以下の各点で相違すると認められる。
＜一致点＞
　本体を、長辺部と短辺部と奥行辺部とを備え、前記短辺部の長さより前記長辺部の長さが長く、前記短辺部の長さより奥行辺部の長さが短い形状とし、
　前記表示部が配置される前記本体の奥行辺部の長さを、前記テンキー部が配置された前記本体の奥行辺部の長さより長くし、本体部の短辺部の長さが短い凹部を備えた携帯用無線電話機である点。
　
＜相違点＞
（１）請求項１に係る発明では、正面の長手方向の一方の端部側から他方の端部側にかけて、スピーカー部、表示部、操作スイッチ、マイク部を順に配置するとともに、マイク部を長手方向の他方の端部に設けるのに対し、
　刊行物１記載の発明では、本体の正面には表示部、操作スイッチを順に配置するとともに、スピーカー部、マイク部は裏面に配置されている点。
　
（２）請求項１に係る発明では、操作スイッチの表示部側にフアンクションキー部、マイク部側にテンキー部を設けているのに対し、
　刊行物１記載の発明では、操作スイッチには、フアンクションキー部、送受信キー部、テンキー部を設けている点。
　
（３）請求項１に係る発明では、基板の正面側にスピーカー部、表示部、操作スイッチ、マイク部を順に配置することによって、表示部が配置される本体の奥行辺部の長さを、テンキー部が配置された本体の奥行辺部の長さより長くしているのに対し、
　刊行物１記載の発明では、主として、本体の背面部の形状により、表示部が配置される本体の奥行辺部の長さを、テンキー部が配置された本体の奥行辺部の長さより長くしている点。
　
（４）請求項１に係る発明では、表示部が配置される面と、テンキー部が配置される面を傾斜面で連続させて、この傾斜面にフアンクションキー部を配置しているのに対し、
　刊行物１記載の発明では、表示部が配置される面と、テンキー部が配置される面を傾斜面で連続させた傾斜面にフアンクションキー部を配置しているかどうか明らかではない点。
　
（５）請求項１に係る発明では、フアンクションキー部を配置した本体の短辺部の長さを、表示部並びにテンキー部を配置した本体の短辺部の長さより短くして左右の側面部に凹部を形成し、凹部を保持してスベリ落ちるのを防止したのに対し、
　刊行物１記載の発明では、本体部の短辺部は、上部から下部へ、最初は細く絞られていって、中央よりやや上方の３つのキー部及び円形状の押しボタン部の上部の当たりが最も細くなり、その後、なだらかに広がっていく凹部が形成される形状に形成されているに過ぎず、必ずしも、フアンクションキー部を配置した本体の短辺部の長さが、表示部並びにテンキー部を配置した本体の短辺部の長さよりも短くなっているわけではない点。
　
　そこで、上記の各相違点について検討すると、
　まず、（１）の相違点は、請求項１に係る発明と、刊行物１記載の発明では、本体の表面と裏面に配置された部分が相違することを意味するのみならず、この配置の相違により、刊行物１記載の発明の携帯用無線電話機は、操作キーを操作する場合と、電話をかける場合とでは、保持する部分を持ち替えることが必要な「持ち替え型」の携帯用無線電話機であって、請求項１に係る発明とは、構造も使用形態も異なる発明であると認められる。
　そして、刊行物１記載の発明が有する保持するための形状も、請求項１に係る発明とは異なるタイプの「持ち替え型」の携帯用無線電話機に適合した形状が開示されたものであると認められる。
　また、刊行物２乃至４記載の発明では、本体の正面にスピーカー部、表示部、操作スイッチ、マイク部を配置した電話機の例が開示されているが、これらの刊行物２乃至４記載の発明においては、携帯用無線電話機の保持性のための構造については記載も又示唆もなく、刊行物１記載の異なるタイプの携帯用無線電話機の形状を、刊行物２乃至４記載の発明の構成と組み合わせることが容易であるとはいえないと認められる。
　
　次に、（２）の相違点については、請求項１に係る発明では、操作キーのフアンクション部としては、発明の詳細な説明に記載された定義（【００１６】欄参照）によれば、機能切替え、音消し、メモリ、クリア、名前、入力切替えスイッチ等から構成されるものであって、正面の下部に形成される比較的大きい形状の、発信、終了、再ダイヤルキーから構成される送受信キーは除かれているものであるが、刊行物１記載の発明では、このような送受信キーを除くといった配慮はなく、また、刊行物２乃至４記載の発明においても、操作キー部には、各種キーが配置されていると認められる。
　請求項１に係る発明は、保持性のために横幅が狭くなり、また、傾斜面に配置されたフアンクションキー部を、送受信キーを除いた、機能切替え、音消し、メモリ、クリア、名前、入力切替えスイッチ等から構成されるフアンクションキーのみを配置し、幅の狭くなっていない厚みの薄いテンキー部にテンキーを配置して、保持性と操作性を良好にしたものであると認められ、上記（２）の相違点については、刊行物１乃至４記載の発明に基いて当業者が容易に想到することができたということはできないと認められる。
　
　上記の（３）の相違点については、例えば、刊行物２記載の発明では、基板の正面側にスピーカー部、表示部、操作スイッチ、マイク部を順に配置することによって、表示部が配置される本体の奥行辺部の長さを、テンキー部が配置された本体の奥行辺部の長さより長くする構造の例が示されているものの、刊行物２記載の発明では保持性についての考慮は全くなされていないものであって、また、刊行物１記載の発明は「持ち替え型」の異なるタイプの携帯用無線電話機であって、刊行物１記載の発明と刊行物２記載の発明を組み合わせることは必ずしも容易ではないと認められる。
　仮に、刊行物１記載の発明の形状と刊行物２記載の発明の形状を寄せ集めたとしても、刊行物１記載の発明における背面部及び側面部の形状はなだらかな曲面を形成するものであって、携帯用電話機を全体的に保持するための構造を示しているに過ぎないものであると認められ、この形状が、操作キーの操作性を良好にするものであることは何も示されていないものであって、寄せ集めた結果は、刊行物２記載の発明の背面部及び側面部に携帯用電話機を全体的に保持するためのなだらかな曲面を形成するものが構成されるに過ぎないものと認められる。
　
　上記（４）の相違点については、発明の詳細な説明で定義された、送受信キーを除いた機能切替え、音消し、メモリ、クリア、名前、入力切替えスイッチ等から構成されるフアンクションキー部を、表示部と前記テンキー部との間の前記傾斜する曲面部に配置することは、刊行物１乃至４記載の発明には開示がなく、刊行物１乃至４記載の発明に基いて当業者が容易に想到することができたものとはいえないと認められる。
　
　上記（５）の相違点については、刊行物２乃至４記載の発明では、本体の短辺部の長さを短くして凹部を形成することは全く開示されておらず、また、刊行物１記載の発明においても、左右の側面部に形成された凹部は、フアンクションキー部から、送受信キー部、テンキー部に至るなだらかなものであって、
　送受信キーを除いたフアンクションキー部が配置される傾斜部の、その左右の側面部に凹部を形成し、凹部を保持してスベリ落ちるのを防止する構成は、全く開示されておらず、上記（５）の相違点は、刊行物１乃至４記載の発明に基いて当業者が容易に想到することができたとはいえないと認められる。
　
　以上のように、請求項１に係る発明は、刊行物１乃至４記載の発明に基いて当業者が容易に発明をすることができたものであるとはいえないと認められる。
　そして、請求項１に係る発明は、上記の各構成を備えることにより、携帯用無線電話機の保持性と操作性を良好にすることができるという効果を奏するものと認められる。
　
（２）請求項２に係る発明について
　請求項２に係る発明と刊行物１に記載された発明とを対比すると、
　
＜一致点＞
　本体を、長辺部と短辺部と奥行辺部とを備え、前記短辺部の長さより前記長辺部の長さが長く、前記短辺部の長さより奥行辺部の長さが短い形状とし、
　前記本体は、前記奥行辺部を２分する上ケースと下ケースとを備え、
　前記表示部が配置される前記本体の奥行辺部の長さを、前記テンキー部が配置された前記本体の奥行辺部の長さより長くし、本体部の短辺部の長さが短い凹部を備えた携帯用無線電話機である点。
　
＜相違点＞
（１）請求項２に係る発明では、正面の長手方向の一方の端部側から他方の端部側にかけて、スピーカー部、表示部、操作スイッチ、マイク部を順に配置するとともに、マイク部を長手方向の他方の端部に設けるのに対し、
　刊行物１記載の発明では、本体の正面には表示部、操作スイッチを順に配置するとともに、スピーカー部、マイク部は裏面に配置されている点。
　
（２）請求項２に係る発明では、操作スイッチの表示部側にフアンクションキー部、マイク部側にテンキー部を設けているのに対し、
　刊行物１記載の発明では、操作スイッチには、フアンクションキー部、送受信キー部、テンキー部を設けている点。
　
（３）請求項２に係る発明では、基板の正面側にスピーカー部、表示部、操作スイッチ、マイク部を順に配置することによって、表示部が配置される本体の奥行辺部の長さを、テンキー部が配置された本体の奥行辺部の長さより長くしているのに対し、
　刊行物１記載の発明では、主として、本体の背面部の形状により、表示部が配置される本体の奥行辺部の長さを、テンキー部が配置された本体の奥行辺部の長さより長くしている点。
　
（４）請求項２に係る発明では、前記上ケースは、前記テンキー部が配置される面から前記表示部並びに前記マイク部が配置される面に向かって緩やかに隆起しながら傾斜する曲面で連続され、この傾斜面にフアンクションキー部を配置しているのに対し、
　刊行物１記載の発明では、表示部が配置される面と、テンキー部が配置される面を傾斜面で連続させた傾斜面にフアンクションキー部を配置しているかどうか明らかではない点。
　
（５）請求項２に係る発明では、フアンクションキー部を配置した本体の短辺部の長さを、表示部並びにテンキー部を配置した本体の短辺部の長さより短くして左右の側面部に凹部を形成し、凹部を保持してスベリ落ちるのを防止したのに対し、
　刊行物１記載の発明では、本体部の短辺部は、上部から下部へ、最初は細く絞られていって、中央よりやや上方の３つのキー部及び円形状の押しボタン部の上部の当たりが最も細くなり、その後、なだらかに広がっていく凹部が形成される形状に形成されているに過ぎず、必ずしも、フアンクションキー部を配置した本体の短辺部の長さが、表示部並びにテンキー部を配置した本体の短辺部の長さよりも短くなっているわけではない点。
　
（６）請求項２に係る発明では、下ケースの前記テンキー部と対向する前記本体の他の一面には着脱可能に取り付けられるバッテリー部が設けられるのに対し、
　刊行物１記載の発明では、バッテリー部に構造については明らかでない点。
　
　上記（６）の点については、携帯電話の下部にバッテリーを着脱自在に取り付けることは周知技術（例：特開平４−２３５４７号公報の第１図のバッテリー１５参照）であると認められる。
　
　しかしながら、上記（１）乃至（５）の相違点については、請求項１に係る発明と同様に刊行物１乃至４に係る発明に基いて当業者が容易に発明をすることができたとはいえないと認められる。
　
（３）請求項３に係る発明について
　請求項３に係る発明は、請求項１または２記載の携帯用無線電話機の発明を引用したものであり、請求項１または２に係る発明と同様に、刊行物１乃至４記載の発明に基いて当業者が容易に発明をすることができたとはいえないと認められる。
　
（４）請求項４及び５に係る発明について
　請求項４及び５に係る発明は、請求項１から３記載の何れかの携帯用無線電話機の発明を引用したものであるが、請求項１乃至３記載の発明と同様に、刊行物１乃至４記載の発明に基いて当業者が容易に発明をすることができたとはいえないと認められる。
　
　したがって、請求項４及び５に係る発明は、刊行物１乃至４記載の発明に基いて、当業者が容易に発明をすることができたとはいえないと認められる。
　
６．むすび
　以上のとおりであるから、特許異議の申立ての理由及び証拠によっては、本件発明についての特許を取り消すことはできない。
　また、他に本件発明についての特許を取り消すべき理由を発見しない。
　よって、結論のとおり決定する。
【異議決定日】
平成１４年４月２６日（２００２．４．２６）
【訂正の要旨】
訂正の要旨
１．訂正事項Ａ
　明細書における特許請求の範囲の請求項１及び２を以下のように訂正する。
「【請求項１】
　本体を、長辺部と短辺部と奥行辺部とを備え、前記短辺部の長さより前記長辺部の長さが長く、前記短辺部の長さより奥行辺部の長さが短い形状とし、
　前記本体の前記長辺部と前記短辺部で構成される一面を正面として、
本体内部には基板を配置し、前記基板の正面側に、
　前記操作スイッチの前記表示部側にフアンクションキー部、前記マイク部側にテンキー部を設け、
　
前記基板の正面側にスピーカー部、表示部、操作スイッチ、マイク部を順に配置することによって、
　前記フアンクションキー部を配置した前記本体の短辺部の長さを、前記表示部並びにテンキー部を配置した前記本体の短辺部の長さより短くし
て左右の側面部に凹部を形成し、該凹部を保持してスベリ落ちるのを防止し
　【請求項２】
　本体を、長辺部と短辺部と奥行辺部とを備え、前記短辺部の長さより前記長辺部の長さが長く、前記短辺部の長さより奥行辺部の長さが短い形状とし、
　前記本体は、前記奥行辺部を２分する上ケースと下ケースとを備え、
　前記上ケースは、
その内部に基板が配置され、前記基板の上ケース側の
　前記操作スイッチは、前記表示部側に配置されるフアンクションキー部と、前記マイク部側に配置されるテンキー部を備え、
　前記下ケースの前記テンキー部と対向する前記本体の他の一面には着脱可能に取り付けられるバッテリー部が設けられ、
　
前記基板の上ケース側にスピーカー部、表示部、操作スイッチ、マイク部を順に配置することによって、
　前記上ケースは、前記テンキー部が配置される面から前記表示部並びに前記マイク部が配置される面に向かって緩やかに隆起しながら傾斜する曲面で連続され、
　前記表示部と前記テンキー部との間の前記傾斜する曲面部には前記フアンクションキー部が配置され、
　前記フアンクションキー部が配置される前記本体の短辺部の長さは、前記表示部並びにテンキー部が配置される前記本体の短辺部の長さより短
くして左右の側面部に凹部を形成し、該凹部を保持してスベリ落ちるのを防止した
２．訂正事項Ｂ
　特許明細書の段落【０００６】の記載を以下のように訂正する。
「【０００６】
　【課題を解決するための手段】
　前記課題を解決するために、本発明の携帯用無線電話機は、本体を、長辺部と短辺部と奥行辺部とを備え、前記短辺部の長さより前記長辺部の長さが長く、前記短辺部の長さより奥行辺部の長さが短い形状とし、前記本体の前記長辺部と前記短辺部で構成される一面を正面として、
本体内部には基板を配置し、前記基板の正面側に、
前記基板の正面側に、スピーカー部、表示部、操作スイッチ、マイク部を順に配置することによって、
て左右の側面部に凹部を形成し、該凹部を保持してスベリ落ちるのを防止
３．訂正事項Ｃ
　特許明細書の段落【０００７】の記載を以下のように訂正する。
「【０００７】
　また、前記課題を解決するために、本発明の他の携帯用無線電話機は、本体を、長辺部と短辺部と奥行辺部とを備え、前記短辺部の長さより前記長辺部の長さが長く、前記短辺部の長さより奥行辺部の長さが短い形状とし、前記本体は、前記奥行辺部を２分する上ケースと下ケースとを備え、前記上ケースは、
その内部に基板が配置され、前記基板の上ケース側の
前記基板の上ケース側にスピーカー部、表示部、操作スイッチ、マイク部を順に配置することによって、
くして左右の側面部に凹部を形成し、該凹部を保持してスベリ落ちるのを防止
（５４）【発明の名称】
携帯用無線電話機
（５７）【特許請求の範囲】
　【請求項１】
　本体を、長辺部と短辺部と奥行辺部とを備え、前記短辺部の長さより前記長辺部の長さが長く、前記短辺部の長さより奥行辺部の長さが短い形状とし、
　前記本体の前記長辺部と前記短辺部で構成される一面を正面として、
本体内部には基板を配置し、前記基板の正面側に、
　前記操作スイッチの前記表示部側にフアンクションキー部、前記マイク部側にテンキー部を設け、
　
前記基板の正面側にスピーカー部、表示部、操作スイッチ、マイク部を順に配置することによって、
　前記フアンクションキー部を配置した前記本体の短辺部の長さを、前記表示部並びにテンキー部を配置した前記本体の短辺部の長さより短くし
て左右の側面部に凹部を形成し、該凹部を保持してスベリ落ちるのを防止し
　【請求項２】
　本体を、長辺部と短辺部と奥行辺部とを備え、前記短辺部の長さより前記長辺部の長さが長く、前記短辺部の長さより奥行辺部の長さが短い形状とし、
　前記本体は、前記奥行辺部を２分する上ケースと下ケースとを備え、
　前記上ケースは、
その内部に基板が配置され、前記基板の上ケース側の
　前記操作スイッチは、前記表示部側に配置されるフアンクションキー部と、前記マイク部側に配置されるテンキー部を備え、
　前記下ケースの前記テンキー部と対向する前記本体の他の一面には着脱可能に取り付けられるバッテリー部が設けられ、
　
前記基板の上ケース側にスピーカー部、表示部、操作スイッチ、マイク部を順に配置することによって、
　前記上ケースは、前記テンキー部が配置される面から前記表示部並びに前記マイク部が配置される面に向かって緩やかに隆起しながら傾斜する曲面で連続され、
　前記表示部と前記テンキー部との間の前記傾斜する曲面部には前記フアンクションキー部が配置され、
　前記フアンクションキー部が配置される前記本体の短辺部の長さは、前記表示部並びにテンキー部が配置される前記本体の短辺部の長さより短
くして左右の側面部に凹部を形成し、該凹部を保持してスベリ落ちるのを防止した
　【請求項３】
　前記請求項１または２記載の携帯用無線電話機において、
　前記フアンクションキー部が配置される前記本体の両側の面は、少なくとも表示部側を形成する円弧Ｒ１と、テンキー部側を形成する円弧Ｒ２から構成され、Ｒ１＜Ｒ２であることを特徴とする携帯用無線電話機。
　【請求項４】
　前記請求項１から３記載の何れかの携帯用無線電話機において、
　前記フアンクションキーは、機能切替えキーを備えていることを特徴とする携帯用無線電話機。
　【請求項５】
　前記請求項１から３記載の何れかの携帯用無線電話機において、
　前記スピーカー部が配置される長手方向の一方の側面に、長手方向に突出するアンテナ部と、保護キャップで覆われたイヤホン接続部を設け、マイク部が配置される長手方向の他の側面に保護キャップで覆われた外部装置との接続部を設けたことを特徴とする携帯用無線電話機。
【発明の詳細な説明】
　【０００１】
　【産業上の利用分野】
　本発明は携帯用無線電話機に係り、特に、薄形で縦長の本体の正面に、上方から下方にかけて、スピーカー部、表示部、操作スイッチ、マイク部を順に配置するとともに、前記操作スイッチ部近傍の本体の厚みを前記表示部近傍の本体の厚みより小さく形成した携帯用無線電話機に関するものである。
　【０００２】
　【従来の技術】
　従来の携帯用無線電話機は、本体を薄形で縦長の形態とし、その一面（正面）に、上方から下方にかけて、スピーカー部、表示部、操作スイッチ、マイク部を順に配置するとともに、操作性とコンパクト化を狙って、前記表示部近傍の本体の厚みが前記操作スイッチ部近傍の本体の厚みより大きく形成されている。また、本体両側面部や背面部に複数の凹凸模様からなるスベリ止めを形成している。
　【０００３】
　前記従来例は、例えば、テレコミュニケーション　１９９２年１月号　Ｎｏ．８８の表紙裏面において掲載された携帯用無線電話機において開示されている。
　【０００４】
　【発明が解決しようとする課題】
　前記従来例においては、本体を薄形で縦長の形態としているために、使用時あるいは携帯時おいて片手で保持した際、本体形状が直線を主体にした形態であるために、手になじまず、保持性に問題があった。
　【０００５】
　本発明は、前記課題を解決するためになされたものであり、その目的は、手になじみ保持性と操作性の良好な形態を備えた携帯用無線電話機を提供することにある。
　【０００６】
　【課題を解決するための手段】
　前記課題を解決するために、本発明の携帯用無線電話機は、本体を、長辺部と短辺部と奥行辺部とを備え、前記短辺部の長さより前記長辺部の長さが長く、前記短辺部の長さより奥行辺部の長さが短い形状とし、前記本体の前記長辺部と前記短辺部で構成される一面を正面として、
本体内部には基板を配置し、前記基板の正面側に、
前記基板の正面側にスピーカー部、表示部、操作スイッチ、マイク部を順に配置することによって、
て左右の側面部に凹部を形成し、該凹部を保持してスベリ落ちるのを防止
　【０００７】
　また、前記課題を解決するために、本発明の他の携帯用無線電話機は、本体を、長辺部と短辺部と奥行辺部とを備え、前記短辺部の長さより前記長辺部の長さが長く、前記短辺部の長さより奥行辺部の長さが短い形状とし、前記本体は、前記奥行辺部を２分する上ケースと下ケースとを備え、前記上ケースは、
その内部に基板が配置され、前記基板の上ケース側の
前記基板の上ケース側にスピーカー部、表示部、操作スイッチ、マイク部を順に配置することによって、
くして左右の側面部に凹部を形成し、該凹部を保持してスベリ落ちるのを防止
　【０００８】
　【作用】
　表示部の下方の薄肉へ移る傾斜部の本体両側面部に凹部を形成することにより、本体形状を正面から見ても、側面から見ても中央部がくびれた形状とすることができるので、手の凹凸に合わせることができるとともに、該凹部を介して本体をしっかり保持することができる。
　【０００９】
　更に、該凹部を少なくとも上部を形成する円弧Ｒ１と、下部を形成する円弧Ｒ２から構成することにより、より手の凹凸に合った形状とすることができるとともに、円弧Ｒ１＜円弧Ｒ２とすることにより、小さい円弧Ｒ１にて本体のスベリを止め、大きい円弧Ｒ２にて本体を複数の指と親指の母指球（つけ根の丸み）とでしっかり保持することができる。
　【００１０】
　【実施例】
　以下、図１〜図１１にて本発明に係る実施例を詳細に説明する。
　【００１１】
　図１〜図１０は本発明に係る携帯用無線電話機の一実施例を示すものであり、図１は斜面図、図２は正面図、図３は右側面図、図４は平面図、図５は底面図、図６は背面図、図７は図２のＡ−Ａ’部分断面図、図８は図２のＢ−Ｂ’部分断面図、図９と図１０は保持状態を示す参考図である。
　【００１２】
　先ず、図１及び図７において、本発明に係る携帯用無線電話機の基本的な構成を説明する。図において、符号１で総括的に示すのは携帯用無線電話機であり、本体２と、本体２の背面下部に着脱自在に取り付けられるバッテリー部３と、本体２の上面に取り付けられるアンテナ４から構成される。本体２は、図７に示すように、本体２の前面を構成する上ケース５と、本体２の後部を構成する下ケース６と、上ケース５と下ケース６の間に構成されるプロテクター７と、上ケース５の正面上部を構成する透明部材８から構成される。プロテクター７はゴム等の軟質材からなり、本体２の周囲に形成され、上ケース５と下ケース６の嵌合部を密着させることで、防水、防滴効果をもたらすとともに、保持した際の感触を良好にし、更にはスベリ止めとなる。透明部材８は表示部９の前面部分以外の前面を軟質材シート（図示せず）で一体成型することで、耳にあたる部分を違和感がないようにしている。また、本体２の内部には基板１０が配置され、この基板１０を基準にして、本体２の上方に表示部９と発信部１１等を配置し、本体２の下部にマイク部１４を設けている。このため、図３に示すように、携帯用無線電話機１はバッテリー部３を本体２に取り付けた状態で、その基本的な形態を中央の厚みを上下の厚みより薄くして薄形で縦長の形態とするとともに、本体２の前面を大きな湾曲面で形成することで柔らかみのある形状としている。
　【００１３】
　次に、図１〜図７において、外観の詳細を説明する。
　【００１４】
　先ず、本体２の正面形状は両側面の中央に凹部１５を形成している。この凹部１５は、前記表示部９の下方の薄肉へ移る上方の傾斜部２ａの両側面部に、保持性を良好にするために形成されたものであり、具体的には、図２に示すように、上部を形成する凸状の円弧Ｒ１と、下部を形成する凸状の円弧Ｒ２と、両円弧Ｒ１とＲ２を連続させる凹状の円弧Ｒ３から構成され、円弧Ｒ１＜円弧Ｒ２となるように形成されている。
　【００１５】
　また、本体２の正面には上部に凹状のスピーカー部１２、その下方に２行表示が可能な液晶のドット表示装置からなる表示部９、その下方に操作スイッチ部１３、最下部中央に縦溝状のマイク部１４を配置している。
　【００１６】
　操作スイッチ部１３は機能別に３つのブロックにまとめられている。１３ａは上方傾斜部２ａに区画されたフアンクションキーであり、機能切替え、音消し、メモリ、クリア、名前、入力切替えスイッチ等から構成される。１３ｂは中央部２ｂに区画された入力キーであり、数字と英文字とカタカナ兼用のテンキーとアップ、ダウンキーから構成され、フアンクションキー１３ａとの組合せ操作で各種の入力を行なう。１３ｃは下方の傾斜部２ｃに区画された送受信キーであり、発信、終了、再ダイヤルキーから構成される。このように、本体２の前面の大きな湾曲面に合わせて、操作スイッチ部１３の上下に位置するフアンクションキー１３ａと送受信キー１３ｃとを、内側に傾いた上方の傾斜部２ａ、下方も傾斜部２ｃとに配置し、入力キー１３ｂはほぼ水平面に配置することにより、キーの配置をスカルプチャ方式のような態様として、操作スイッチを押しやすいようにしている。ここで、スピーカー部１２と表示部９とフアンクションキー１３ａは透明部材８内に配置されている。
　【００１７】
　左側面のプロテクター７の上部にはアップダウン方式の音量スイッチ１６を配置している。音量スイッチ１６は、図８に示すように、プロテクター７にスイッチ形状を形成し、内部の基板１０に取り付けられるスイッチ１６ａを間接的に押すような防塵、防滴構造としている。また同様な構造で、上面左側のプロテクター７には電源スイッチ１７を配置している。そして、音量スイッチ１６と電源スイッチ１７近傍のプロテクター７、つまり、左側面の凹部１５から上面中央にかけて隆起部１８を形成している。隆起部１８は音量スイッチ１６と電源スイッチ１７が部分的に突出するのを防ぐとともに、左手で携帯用無線電話機１を保持した場合の親指の位置決めを向上する。
　【００１８】
　また、側面図（図３）において、１８はプロテクター７の両側面上部に形成された複数の突起からなるスベリ止め、１９はバッテリー部３の両側面部に形成された凹部であり、バッテリー部３を本体２から取外し別体の充電器（図示せず）に取り付ける際に使用する。また、平面図（図４）において、２０は本体２に設けられ別体のマイクとイヤホンの接続部（図示せず）を保護するキャップ、２１はベルト取付部、２２は内部に設けたベル用（図示せず）の開口穴、２３は着信ランプである。また、底面図（図５）において、２４は本体２に設けられた他の機器との接続部（図示せず）を保護するキャップである。また、背面図（図６）において、２５はバッテリー部３に形成された円弧状の切欠き部であり、本体２に形成された凹部１５に対応する位置に形成され、保持性をより向上させる。２６はバッテリー部３の着脱スイッチ、２７は複数の小さな凹部から構成されるバッテリー部３のスベリ止めである。
　【００１９】
　本実施例に係る携帯用無線電話機１は、アンテナ部４を本体２の上面右側に片寄って配置している。このため、図７及び図８に示すように、本体２の内部に配置される発信部１１はアンテナ部４とその基板１０ｂにより左側に片寄って配置されている。そして、発信部１１からの音は、発信部１１上部に位置する上カバー５に形成された放音穴２８と透明部材に形成された横長のスピーカー穴２９により、耳３０で聞くことができる。このため、例えば、放音穴２８の上部が耳３０にふさがれてもスピーカー穴２９が横長に形成されているために、このスピーカー穴２９を介して伝わる音を聞くことができる。
　【００２０】
　次に、図９と図１０において、携帯用無線電話機１の保持状態をごく一般的に保持される以下の２タイプを例にあげて説明する。本実施例では左手で保持する場合で説明するが、右手で保持しても同様な効果がある。
　【００２１】
　先ず、９図に示すように、本体２の下部を保持するする場合、本体２に形成される左側の凹部１５を親指の第１関節部近傍で押し押さえ、右側の凹部１５を中指、薬指、小指で押し押さえる。このような保持姿勢では、親指の第１関節部近傍の丸みが円弧Ｒ１、Ｒ２、Ｒ３からなる凹部１５の形状に一致する。この際、小さい円弧Ｒ１にて本体２を引っかけるようにして本体２が下方にスベリ落ちるのを防ぎ、大きい円弧Ｒ２にて本体２をしっかり保持することができる。また、右側の凹部１５では、小さい円弧Ｒ１に対応する中指で本体２を引っかけるようにしてスベリを止め、凹部１５の下部を大きい円弧Ｒ２にすることにより、中指、薬指、小指をそろえて本体２を保持できる。更には、バッテリー部３に形成した切欠き部２５により、より保持性を良好にすることができる。
　【００２２】
　また、図１０に示すように、本体２の上部を保持するする場合、本体２に形成される左側の凹部１５を親指の母指球（つけ根の丸み）で押し押さえ、右側の凹部１５を薬指、小指で押し押さえる。
　【００２３】
　このような保持姿勢では、親指の母指球の丸みが円弧Ｒ１、Ｒ２、Ｒ３からなる凹部１５の形状に一致する。この際、小さい円弧Ｒ１にて本体２を引っかけるようにして本体２のスベリを止め、大きい円弧Ｒ２が親指の母指球の下方の丸みに合って本体２を幅広くしっかり保持することができる。また、右側の凹部１５では、小さい円弧Ｒ１に対応する薬指とそれに添えられる小指で本体２を引っかけるようにしてスベリを止めることができる。このため、片手で携帯用無線電話機１の上部を包むようにしっかり保持することができる。なお、この保持姿勢では、親指を音量スイッチ１６上に位置させることができるので、保持したまま容易に音量を調節することができる。また、凹部１５は表示部９の下方に位置する上方の傾斜部２ａの側面図に設けられているので、操作時に指先が表示部９にかかるのを防止することができる。
　【００２４】
　このように、本体２に凹部１５を形成することにより、使用時、あるいは携帯時に携帯用無線電話機１を保持する手になじんだ形態とすることができ保持性と操作性を良好にすることができる。
　【００２５】
　次に、図１１は本発明に係る携帯用無線電話機の種々の実施例を示す概略図である。図において、
　（ａ）図は、表示部９の下方の薄肉へ移る傾斜部の両側面部に凹部１５をＶ字形状に形成したものであり、凹部１５は上部を形成する傾斜部Ｖ１と、下部を形成する傾斜部Ｖ２から構成され、傾斜部Ｖ１の高さＬ１と傾斜部Ｖ２の高さＬ２をＬ１＜Ｌ２となるように形成している。
　【００２６】
　（ｂ）図は、凹部１５を上部を形成する凸状の円弧Ｒ１と、下部を形成する凸状の円弧Ｒ２とから構成したものであり、円弧Ｒ１＜円弧Ｒ２となるように形成されている。
　【００２７】
　（ｃ）図は、凹部１５を上部を形成する凸状の円弧Ｒ１と、下部を形成する凹状の円弧Ｒ２とから構成したものであり、円弧Ｒ１＜円弧Ｒ２となるように形成されている。
　【００２８】
　（ｄ）図は、凹部１５を上部を形成する凹状の円弧Ｒ１と、下部を形成する凸状の円弧Ｒ２とから構成したものであり、円弧Ｒ１＜円弧Ｒ２となるように形成されている。
　【００２９】
　（ｅ）図は、凹部１５を上部を形成する凹状の円弧Ｒ１と、下部を形成する凹状の円弧Ｒ２とから構成したものであり、円弧Ｒ１＜円弧Ｒ２となるように形成されている。
　【００３０】
　（ｆ）図は、凹部１５を上部を形成する凸状の円弧Ｒ１と、下部を形成する凹状の円弧Ｒ２と、円弧Ｒ２と本体２の下部側面とを連続させる円弧Ｒ４から構成したものであり、円弧Ｒ１＜円弧Ｒ２となるように形成されている。
　【００３１】
　以上、図１１で説明したように、表示部９の下方の薄肉へ移る傾斜部の両側面部に形成される凹部１５は、Ｖ字形状でも同様な効果を得られ、その場合、実質的に上部を形成する傾斜部Ｖ１が下部を形成する傾斜部Ｖ２より傾斜するようにするとよい。更に、凹部１５を円弧で形成した場合、形成する円弧は実質的に上部を形成する円弧が下部を形成する円弧より小さければよく、その円弧は凹状でも、凸状でもよい。加えて、形成する円弧は複数の円弧の組合せでもよく、また、直線と円弧の組合せでもよい。
　【００３２】
　【発明の効果】
　本発明によれば、表示部の下方の薄肉へ移る傾斜部の本体両側面部に凹部を形成することにより、本体形状を保持する手になじんだ形態とすることができ保持性と操作性を良好にすることができる。
　【００３３】
【図面の簡単な説明】
　【図１】本発明に係る携帯用無線電話機の一実施例を示す斜面図
　【図２】本発明に係る携帯用無線電話機の一実施例を示す正面図
　【図３】本発明に係る携帯用無線電話機の一実施例を示す右側面図
　【図４】本発明に係る携帯用無線電話機の一実施例を示す平面図
　【図５】本発明に係る携帯用無線電話機の一実施例を示す底面図
　【図６】本発明に係る携帯用無線電話機の一実施例を示す背面図
　【図７】図２のＡ−Ａ’部分断面図
　【図８】図２のＢ−Ｂ’部分断面図
　【図９】本発明に係る携帯用無線電話機の一実施例の保持状態を示す参考図
　【図１０】本発明に係る携帯用無線電話機の一実施例の保持状態を示す参考図
　【図１１】本発明に係る携帯用無線電話機の種々の実施例を示す概略図
　【符号の説明】
　１…携帯用無線電話機、２…本体、２ａ…上方の傾斜部、２ｂ…中央部、２ｃ…下方の傾斜部、３…バッテリー部、４…アンテナ、５…上ケース、６…下ケース、７…プロテクター、８…透明部材、９…表示部、１０…基板、１１…発信部、１５…凹部、１２…スピーカー部、１３…操作スイッチ部、１４…マイク部、１９…凹部、２８…放音穴、２９…スピーカー穴Ｒ１…円弧、Ｒ２…円弧、Ｒ３…円弧、Ｒ４…円弧、Ｖ１…傾斜部、Ｖ２…傾斜部、Ｌ１…傾斜部Ｖ１の高さ、Ｌ２…傾斜部Ｖ２の高さ